(57)【特許請求の範囲】
【請求項１】
背景音楽を分析する背景音楽分析モジュールと、
前記分析された背景音楽によって、少なくとも１つ以上のコンテンツとそれに対する映像効果要素とを含む複数の映像単位グループの属性を、前記映像単位グループに含まれるコンテンツの数を決定することにより調節する映像単位グループ調節モジュールと、
前記属性が調節された、前記複数の映像単位グループ及び前記各映像単位グループに含まれるコンテンツを表現するための時間を前記分析された背景音楽によって調節する時間調節モジュールと、
前記時間が調節された、前記複数の映像単位グループ及び前記各映像単位グループに含まれるコンテンツを、前記映像効果要素を用いて表示する制御モジュールと、を含むことを特徴とするコンテンツを動的に表現する装置。
【請求項２】
前記複数の映像単位グループに含まれるコンテンツは、各コンテンツ間の関連性、各コンテンツの表現効果及びユーザ嗜好度のうち少なくとも１つによって区分されることを特徴とする請求項１に記載のコンテンツを動的に表現する装置。
【請求項３】
前記背景音楽分析モジュールは、単位時間の間のレベル変化によって前記背景音楽のテンポを分析することを特徴とする請求項１に記載のコンテンツを動的に表現する装置。
【請求項４】
前記映像単位グループ調節モジュールは、前記複数の映像単位グループの属性及び前記各映像単位グループに含まれるコンテンツの属性によって前記背景音楽の長さを調節することを特徴とする請求項３に記載のコンテンツを動的に表現する装置。
【請求項５】
前記映像単位グループの属性は、前記各映像単位グループ間の切り替え時間を含むことを特徴とする請求項１に記載のコンテンツを動的に表現する装置。
【請求項６】
前記映像単位グループの属性は、前記各映像単位グループの開始時間及び持続時間を含むことを特徴とする請求項１に記載のコンテンツを動的に表現する装置。
【請求項７】
前記映像単位グループ調節モジュールは、前記分析された背景音楽によって、前記各映像単位グループに含まれるコンテンツの属性を調節することを特徴とする請求項１に記載のコンテンツを動的に表現する装置。
【請求項８】
前記コンテンツの属性は、所定映像単位グループに含まれるコンテンツの数及びコンテンツ間の切り替え時間のうち少なくとも１つを含むことを特徴とする請求項7に記載のコンテンツを動的に表現する装置。
【請求項９】
前記コンテンツ属性は、前記各コンテンツの開始時間及び持続時間を含むことを特徴とする請求項7に記載のコンテンツを動的に表現する装置。
【請求項１０】
前記時間調節モジュールは、前記分析された背景音楽によって、前記映像単位グループ及び前記各映像単位グループに含まれるコンテンツの開始時間及び持続時間を調節することを特徴とする請求項１に記載のコンテンツを動的に表現する装置。
【請求項１１】
少なくとも１つ以上のコンテンツとそれに対する映像効果要素とを含む複数の映像単位グループに対応する背景音楽を分析する段階と、
前記分析された背景音楽によって、前記複数の映像単位グループの属性を、前記映像単位グループに含まれるコンテンツの数を決定することにより調節する段階と、
前記属性が調節された、前記複数の映像単位グループ及び前記各映像単位グループに含まれるコンテンツを表現するための時間を前記分析された背景音楽によって調節する段階と、
前記時間が調節された、前記複数の映像単位グループ及び前記各映像単位グループに含まれるコンテンツを、前記映像効果要素を用いて表示する段階と、を含むことを特徴とするコンテンツを動的に表現する方法。
【請求項１２】
前記複数の映像単位グループは、各コンテンツ間の関連性、各コンテンツの表現効果及びユーザ嗜好度のうち少なくとも１つによって区分されることを特徴とする請求項１１に記載のコンテンツを動的に表現する方法。
【請求項１３】
前記背景音楽を分析する段階は、単位時間の間のレベル変化によって前記背景音楽のテンポを分析する段階を含むことを特徴とする請求項１１に記載のコンテンツを動的に表現する方法。
【請求項１４】
前記属性を調節する段階は、前記複数の映像単位グループの属性及び前記各映像単位グループに含まれるコンテンツの属性によって前記背景音楽の長さを調節する段階を含むことを特徴とする請求項１３に記載のコンテンツを動的に表現する方法。
【請求項１５】
前記映像単位グループの属性は、各映像単位グループ間の切り替え時間を含むことを特徴とする請求項１１に記載のコンテンツを動的に表現する方法。
【請求項１６】
前記映像単位グループの属性は、各映像単位グループの開始時間及び持続時間を含むことを特徴とする請求項１１に記載のコンテンツを動的に表現する方法。
【請求項１７】
前記複数の映像単位グループの属性を調節する段階は、前記分析された背景音楽によって、前記各映像単位グループに含まれるコンテンツの属性を調節する段階を含むことを特徴とする請求項１８に記載のコンテンツを動的に表現する方法。
【請求項１８】
前記コンテンツの属性は、所定映像単位グループに含まれるコンテンツの数及びコンテンツ間の切り替え時間のうち少なくとも１つを含むことを特徴とする請求項１７に記載のコンテンツを動的に表現する方法。
【請求項１９】
前記コンテンツの属性は、前記各コンテンツの開始時間及び持続時間を含むことを特徴とする請求項１７に記載のコンテンツを動的に表現する方法。
【請求項２０】
前記時間を調節する段階は、前記分析された背景音楽によって、前記映像単位グループ及び前記各映像単位グループに含まれるコンテンツの開始時間及び持続時間を調節することを特徴とする請求項１１に記載のコンテンツを動的に表現する方法。
【発明の詳細な説明】
【技術分野】
【０００１】
本発明は、コンテンツを動的に表現する装置及び方法に関するもので、より詳しくは、動的な映像物として表現することができるコンテンツを動的に表現する装置及び方法に関すものである。
【背景技術】
【０００２】
一般に、ユーザが写真などのコンテンツを鑑賞するためには、複数のコンテンツを所定時間間隔で表示するスライドショー方式が主に使われている。
【０００３】
このようなスライドショー方式は、単に所定コンテンツを表示して所定時間が経過した後、次のコンテンツを表示する方式である。スライドショー方式は所定時間の間コンテンツが停止してコンテンツを静的に表現するため、個々人の思い出や嗜好度によってコンテンツを構成することができず、個々人が自分のコンテンツを映像化して動的に表現しようとする欲求を満たすには力不足であった。
【０００４】
また、一度に１つのコンテンツを表示するため、ユーザが現在見ているコンテンツ間の関連性が分かりにくく、さらに静的表現であるため、多様な表現が難しいという問題点がある。
【０００５】
このため、最近にはスライドショー方式自体の単調さから脱却するために、コンテンツ内のステッカを追加したり、パン（Ｐａｎ）及びチルト（Ｔｉｌｔ）などの多様な効果を付加しているが、既存の単調さから脱却できず個人のコンテンツ形態が常に同じ形態で構成されて専門性や斬新性を満たすには力不足であった。
【０００６】
特許文献１では、複数形態の情報が記録されたシーケンストラック同期化情報を有する複数のシーケンストラックと同期化情報記録手段とを１つのマルチメディアファイルを構成するように同一ファイルに統合することによって、各シーケンストラックに含まれた情報の同期化を精巧に制御することができる、音楽と画像トラックを同期化するマルチメディアシステムを開示しているが、これは時間基準による単純同期であって、音楽によるコンテンツの同期化及び音楽の長さなどと共にコンテンツの数の切り替えなどにかかる時間を改めて測定しなければならないという煩わしさがあった。
【特許文献１】韓国特許公開第２００１−１１０１７８号公報
【発明の開示】
【発明が解決しようとする課題】
【０００７】
本発明は、複数のコンテンツを背景音楽に同期化してコンテンツを動的に表現する装置及び方法を提供することにその目的がある。
【０００８】
本発明の目的は、以上で言及した目的に制限されず、言及していないさらなる目的は、下記記載によって当業者が明確に理解できるものである。
【課題を解決するための手段】
【０００９】
前記目的を達成するために、本発明の一態様によるコンテンツを動的に表現する装置は、背景音楽を分析する背景音楽分析モジュール、前記分析された背景音楽によって少なくとも１つ以上のコンテンツを含む複数の映像単位グループ及び各映像単位グループに含まれるコンテンツの属性を調節する映像単位グループ調節モジュール、前記属性が調節された、前記複数の映像単位グループ及び前記各映像単位グループに含まれるコンテンツを表現するための時間を前記分析された背景音楽によって調節する時間調節モジュール、及び前記時間が調節された、複数の映像単位グループ及び前記各映像単位グループに含まれるコンテンツを表示する制御モジュールを含む。
【００１０】
また、前記目的を達成するために、本発明の他の態様によるコンテンツを動的に表現する方法は、少なくとも１つ以上のコンテンツを含む複数の映像単位グループに対応する背景音楽を分析する段階、前記分析された背景音楽によって、前記複数の映像単位グループ及び各映像単位グループに含まれるコンテンツの属性を調節する段階、前記属性が調節された、前記複数の映像単位グループ及び前記各映像単位グループに含まれるコンテンツを表現するための時間を前記分析された背景音楽によって調節する段階、及び前記時間が調節された、前記複数の映像単位グループ及び前記各映像単位グループに含まれるコンテンツを表示する段階を含む。
【発明の効果】
【００１１】
本発明のコンテンツを動的に表現する装置及び方法によれば、複数の映像単位グループの表現時間及び切り替え時間と、各映像単位グループ内のコンテンツと構成要素の表現時間及び切り替え時間を調節し、背景音楽と同期化して表示できると共に複数のコンテンツを動的映像物で表現することができる。
【発明を実施するための最良の形態】
【００１２】
その他、実施形態の具体的な事項は詳細な説明及び図面に含まれている。
【００１３】
本発明の利点及び特徴、そしてそれらを達成する方法は、添付する図面と共に詳細に後述する実施形態を参照すれば明確になる。しかし、本発明は以下にて開示する実施形態に限定されず、相異なる多様な形態によって実施され、単に本実施形態は本発明の開示を完全なものにし、本発明の属する技術分野における通常の知識を有する者に発明の範疇を完全に知らせるために提供されるものであって、本発明は請求項の範疇によってのみ定義されるものである。明細書の全体にわたり、同じ参照符号は同じ構成要素を示す。
【００１４】
以下、本発明の実施形態により、コンテンツを動的に表現する装置及び方法を説明するためのブロック図または処理フローチャートに対する図面を参考して本発明について説明する。この場合、処理フローチャートの各ブロックとフローチャートの組み合せは、コンピュータプログラムインストラクションによって行われることが理解できる。これらコンピュータプログラムインストラクションは、汎用コンピュータ、特殊用コンピュータまたはその他プログラム可能なデータプロセシング装備のプロセッサに搭載できるので、コンピュータまたはその他プログラム可能なデータプロセシング装備のプロセッサによって行われるインストラクションはフローチャートブロックで説明する機能を行う手段を生成する。これらコンピュータプログラムインストラクションは、特定方式で機能を具現するために、コンピュータまたはその他プログラム可能なデータプロセシング装備に備えられるコンピュータによって利用可能またはコンピュータによって読取可能なメモリに格納できるので、そのコンピュータによって利用可能またはコンピュータによって読取可能なメモリに格納したインストラクションは、フローチャートブロックで説明する機能を行うインストラクション手段を含む製造品目を生産するのに用いることも可能である。コンピュータプログラムインストラクションは、コンピュータまたはその他プログラム可能なデータプロセシング装備上に搭載できるので、コンピュータまたはその他プログラム可能なデータプロセシング装備上で一連の動作段階が行われ、コンピュータで実行されるプロセスを生成してコンピュータまたはその他プログラム可能なデータプロセシング装備の機能を行うインストラクションは、フローチャートブロックで説明する各段階の機能を実行することも可能である。
【００１５】
また、各ブロックは、特定された論理的機能を実行するための１つ以上の実行可能なインストラクションを含むモジュール、セグメントまたはコードの一部を示すことができる。また、複数の代替実行形態では、ブロックで言及される機能が順序から外れて発生することも可能であることに注目しなければならない。例えば、相次いで図示されている２つのブロックは、実質的に同時に行なうこともわれることが可能であり、またはそのブロックが時々該当する機能によって逆順に行われることも可能である。
【００１６】
図１は、本発明の実施形態によるコンテンツを動的に表現する装置を図示している。
【００１７】
図示のように、本発明の実施形態によるコンテンツを動的に表現する装置１００は、背景音楽分類モジュール１１０、映像単位グループ調節モジュール１２０、時間調節モジュール１３０及び制御モジュール１４０を含むことができる。
【００１８】
背景音楽分類モジュール１１０は、少なくとも１つ以上のコンテンツを含む複数の映像単位グループに対応する背景音楽を分析することができる。このような背景音楽は、ユーザにより指定されたり、または推薦により指定されたり、またはデフォルトとして指定することができるが、これに限定されない。このとき、コンテンツは個人が持っている写真、動画、動くテキスト及びコメントを含む写真などと理解することができ、映像単位グループはコンテンツを区分した単位であって、少なくとも１つ以上のコンテンツで構成された複数のコンテンツ及び複数のコンテンツに対する映像効果要素で構成されたグループと理解することができる。言い換えれば、映像単位グループは、複数のコンテンツ及び複数のコンテンツを表現するための多様な映像効果要素、例えば、背景音楽、ステッカ及び字幕などのように複数のコンテンツを飾ることができる要素と、トランジション、アニメーション及びカメラワークなどのように複数のコンテンツに動的感覚を与えることができる要素と、レイアウト及びタイミングなどのように複数のコンテンツの配置に関する要素などとを含むことができる。
【００１９】
また、各映像単位グループは、コンテンツの関連性、コンテンツの映像効果要素及びユーザの嗜好度などによって区分することができる。例えば、コンテンツが写真の場合、同じ時間帯及び同じ場所で撮った写真のように、異なる時間帯及び異なる場所で撮った写真に比べて高い関連性を有する写真が同じ映像単位グループに含まれ得る。これと同様に、過去の使用情報に基づいて同じレイアウト及び同じ背景音楽を使用した写真が同じ映像単位グループに含まれ得る。
【００２０】
背景音楽分類モジュール１１０は、選択された背景音楽に対する背景音楽のレベル変化によって背景音楽のテンポを分類することができる。本発明の実施形態において背景音楽分類モジュール１１０は、背景音楽のレベルをその音量の程度によって多段階に区分し、単位時間の間の各レベルが表れる分布回数と形態によって背景音楽のテンポを分類することができる。例えば、背景音楽のテンポを速い、普通及び遅いに区分し、背景音楽のレベルを４段階に区分した場合、テンポは単位時間の間の４段階のレベルのうち各段階のレベルが表れる分布回数と形態によって決定することができるものである。例えば、単位時間（例えば、１０秒、１００秒及び１分など）の間にその音量が比較的大きい段階のレベルが所定回数以上繰り返して表れてレベル間の間隔が狭い場合、背景音楽分類モジュール１１０は背景音楽のテンポを速いと分類することができる。
【００２１】
映像単位グループ調節モジュール１２０は、背景音楽分類モジュール１１０により分類された背景音楽によって、複数の映像単位グループ及び各映像単位グループに含まれるコンテンツに関する属性を調節することができる。本発明の実施形態において映像単位グループの属性とは、各映像単位グループ間の開始時間及び持続時間とコンテンツの映像効果要素であるとなどにより理解することができし、コンテンツの属性とは、所定映像単位グループに含まれるコンテンツの数、コンテンツの映像表現要素であるとなどにより理解することができる。このとき、開始時間と持続時間が同じ場合には使用しないと判断することができる。
【００２２】
言い換えれば、映像単位グループ調節モジュール１２０は、複数のコンテンツで映像を構成しようとするとき、各映像単位グループに含まれるコンテンツの数を決定するものであって、映像単位グループの効果、コンテンツの数と音楽の相関関係、コンテンツ間の相互連結性に基づいて分類する。このとき、各映像単位グループに含まれるコンテンツの数に対する最大値と最小値の範囲が決められている場合は決まった範囲内でコンテンツの数を調節することができる。
【００２３】
また、映像単位グループの効果、コンテンツの数と音楽の相関関係は、動的映像を作るために音楽に映像を同期化する方式に基づいて予測する。背景音楽の長さに比べて全体映像に含まれるコンテンツの数が少ない場合、コンテンツの数を増やすことができ、コンテンツを表現するための効果を変更して背景音楽の長さに合わせることもできる。また、コンテンツの数に比べて背景音楽の長さが短い場合は、同じ背景音楽を繰返し再生したり、別の背景音楽を追加してコンテンツの数に背景音楽の長さを合わせることもできる。
【００２４】
具体的に、映像単位グループに含まれる複数のコンテンツが写真であり、映像表現要素の各写真が順次に所定時間の間に所定サイズに拡大された後、また元のサイズに戻る場合、映像単位グループ調節モジュール１２０は、背景音楽の長さによって該当する映像単位グループに含まれる写真の数を変更するか、または各写真が拡大される時間を変更して背景音楽の長さに合わせることができる。
【００２５】
時間調節モジュール１３０は、選択された背景音楽によって、複数の映像単位グループ及び各映像単位グループに含まれるコンテンツを表現するために割り当てられる時間を調節することができる。本発明の実施形態において割り当てられる時間とは、各映像単位グループ及びコンテンツが切り替えられる時間、所定映像単位グループで各コンテンツ間の切り替え時間などに割り当てられた時間であることにより理解することができる。また、時間調節モジュール１３０は、背景音楽の開始位置と映像単位グループの開始位置とを一致させることができ、場合によっては一致させないこともできる。例えば、時間調節モジュール１３０は、背景音楽が開始してボリュームが所定レベル以上に上がった場合、映像単位グループの表示が開始されるようにすることができる。また、背景音楽の終了位置も開始位置と同様に映像単位グループの終了位置と一致させることができ、場合によっては一致させないこともできる。
【００２６】
また、複数の映像単位グループが開始される前または後に開始コンテンツ及び終了コンテンツの位置を調節することができる。本発明の実施形態において開始コンテンツ及び終了コンテンツは、ユーザにより指定されたり、または推薦により指定されたり、またはデフォルトとして指定することができ、開始コンテンツ及び終了コンテンツに割り当てられる時間は、複数の映像単位グループと背景音楽の長さによって変更することができる。
【００２７】
また、時間調節モジュール１３０は、複数の映像単位グループの位置だけでなく、各映像単位グループ及び各映像単位グループに含まれるコンテンツと構成要素に割り当てられた時間を調節することができる。例えば、所定映像単位グループが開始された後、その次の映像単位グループが表示されるまでの時間や所定映像単位グループ内で所定コンテンツが所定映像効果要素によって表示された後、その次のコンテンツが表示されるまでの時間などを調節することができる。また、時間調節モジュール１３０は、背景音楽で所定段階のレベルが表れた場合、各映像単位グループ及び所定映像単位グループに含まれるコンテンツが切り替えられるように時間を調節することもできる。例えば、動的映像のための同期化方式の一環として、背景音楽で音量の変化が最も大きく、かつ音量が最も大きい段階のレベルが表れる時、映像単位グループ及び映像単位グループに含まれるコンテンツが切り替えられるようにすることができる。
【００２８】
制御モジュール１４０は、時間調節モジュール１３０によって時間が調節された、複数の映像単位グループ及び各映像単位グループに含まれるコンテンツを、選択された背景音楽に同期化して表示することができる。したがって、コンテンツを単に時間的順序に沿って表示するのではなく、各コンテンツを動的に表現するために前記のような映像効果要素を使用し、各映像単位グループが選択された背景音楽によって切り替えられるようにして、ユーザはコンテンツを動的映像物のように見て鑑賞できるようになる。図２は、本発明の実施形態によるコンテンツを動的に表現する方法が示された図面である。
【００２９】
図示のように、本発明の実施形態によるコンテンツを動的に表現する方法は、まず複数の映像単位グループに対応する背景音楽を分類する（Ｓ１００）。このとき、複数の映像単位グループに対応する背景音楽は、ユーザにより選択するか、または推薦により選択するか、またはデフォルトとして選択することができる。このとき、背景音楽の分類は、背景音楽分類モジュール１１０によって行われ、背景音楽分類モジュール１１０は、背景音楽の長さ及び背景音楽のレベルによって背景音楽のテンポを分類することができる。本発明の実施形態において背景音楽のテンポは、速い、普通及び遅いからなる場合を例として説明する。
【００３０】
映像単位グループ調節モジュール１２０は、分析された背景音楽によって、複数の映像単位グループ及び各映像単位グループに含まれるコンテンツの属性を調節する（Ｓ２００）。具体的に、映像単位グループ調節モジュール１２０は、分析された背景音楽の長さとテンポなどによって、複数の映像単位グループが切り替えられる時間及び各映像単位グループに含まれるコンテンツが切り替えられる時間及びコンテンツの数などを調節することができる。例えば、複数の映像単位グループが切り替えられるのにかかる時間が背景音楽の長さより長い場合、切り替えられる時間を減らすか、または各映像単位グループに含まれるコンテンツの切り替え時間を減らすことができ、各映像単位グループに含まれるコンテンツの数を減らすこともできる。また、コンテンツの数は、該当する映像単位グループとの関連性が最も薄いコンテンツは映像単位グループ内で切り替えられないステッカ形式で表示することができる。
【００３１】
映像単位グループ調節モジュール１２０による過程が完了すれば、時間調節モジュール１３０は、背景音楽に対応するように複数の映像単位グループ及び各映像単位グループに含まれるコンテンツの開始時間及び持続時間などを調節するようになる（Ｓ３００）。具体的に、時間調節モジュール１３０は、背景音楽に対して複数の映像単位グループの開始時間と持続時間、各映像単位グループ間の切り替え時間、各映像単位グループに含まれるコンテンツの開始時間と持続時間及び各コンテンツ間の切り替え時間などを調節することができる。また、これらの開始時間と持続時間は背景音楽で所定レベルが表れる時点になることもある。例えば、複数の映像単位グループ間に切り替えられる時間、即ち背景音楽で最も大きいレベルが表れる時点で複数の映像単位グループ及び各映像単位グループに含まれるコンテンツが切り替えられる。
【００３２】
以後、時間が調節された、複数の映像単位グループと各映像単位グループに含まれるコンテンツが表示される（Ｓ４００）。
【００３３】
図３は、本発明の実施形態による背景音楽分類方法が示された図面である。
【００３４】
図示のように、本発明の実施形態による背景音楽分類方法は、まず背景音楽分類モジュール１１０が選択された背景音楽を獲得するようになる（Ｓ１１１）。
【００３５】
獲得した背景音楽のレベルによって獲得した背景音楽を分類する（Ｓ１１２）。本発明の実施形態では獲得した背景音楽の音量の大きさによって４段階に分けて分類する。このとき、本発明の実施形態では背景音楽のレベルを４段階に分けた場合を例として説明しているが、これに限定されず、背景音楽のレベルを分ける段階は変更できる。
【００３６】
背景音楽分類モジュール１１０は、前述した分類結果によって獲得した背景音楽のテンポを分類するようになる（Ｓ１１３）。このとき、本発明の実施形態において背景音楽のテンポは、速い、普通及び遅い場合を例として説明しており、このようなテンポの分類は、所定段階のレベルが表れた回数と分布によって決定できる。
【００３７】
図４は、本発明の実施形態による映像単位グループ調節方法が示された図面である。
【００３８】
図示のように、本発明の実施形態による映像単位グループ調節方法は、まず前述した図３の方法によって背景音楽に対する分類が完了すれば、映像単位グループ調節モジュール１２０は分析された背景音楽の長さと複数の映像単位グループ及び各映像単位グループに含まれるコンテンツを表現するのにかかる時間を比較する（Ｓ２１１）。
【００３９】
比較の結果、背景音楽の長さがより長い場合（Ｓ２１２）、映像単位グループ調節モジュール１２０は、複数の映像単位グループ及び各映像単位グループに含まれるコンテンツを表現する時間を増加させる（Ｓ２１３）。具体的に、複数の映像単位グループ及び各映像単位グループに含まれるコンテンツを表現する時間は、各映像単位グループ間の切り替え時間、所定映像単位グループ内のコンテンツの数及び所定映像単位グループ内のコンテンツ間の切り替え時間などを含むことができ、背景音楽の長さが複数の映像単位グループ及び各映像単位グループに含まれるコンテンツを表現する時間より長い場合、前述した各映像単位グループ間の切り替え時間、所定映像単位グループ内のコンテンツの数及び所定映像単位グループ内のコンテンツ間の切り替え時間などを増加させるようになる。例えば、所定コンテンツが所定時間の間に拡大された後、次のコンテンツが拡大される表現効果を使用する場合、所定コンテンツが拡大される時間を増加させることができる。
【００４０】
比較の結果、背景音楽の長さが短い場合、前述したＳ２１３段階とは逆に各映像単位グループ間の切り替え時間、所定映像単位グループ内のコンテンツの数及び所定映像単位グループ内のコンテンツ間の切り替え時間などを減少させる（Ｓ２１４）。また、前述した映像単位グループ及びコンテンツの切り替え時間及びコンテンツの数の増加だけでなく、各コンテンツを表現するための時間、例えば所定コンテンツが所定時間の間に拡大された後、次のコンテンツが拡大される表現効果を使用する場合、所定コンテンツが拡大される時間を減少させることができる。
【００４１】
一方、前述したように、背景音楽の長さによって、各映像単位グループ間の切り替え時間、所定映像単位グループ内のコンテンツの数及び所定映像単位グループ内のコンテンツ間の切り替え時間などを変更する以外にも各映像単位グループ間の切り替え時間、所定映像単位グループ内のコンテンツの数及び所定映像単位グループ内のコンテンツ間の切り替え時間などによって背景音楽の長さを調節することができる。例えば、背景音楽の長さが短い場合、同じ背景音楽を繰返し再生するか、または別の背景音楽を追加して背景音楽の長さを延長することができる。
【００４２】
したがって、背景音楽の長さと、複数の映像単位グループ及び各映像単位グループに含まれるコンテンツを表現する時間とを比較し比べ、比較の結果によって背景音楽の長さ及び表現時間を調節することができるようになる。
【００４３】
図５は、本発明の実施形態による時間調節方法が示された図面である。
【００４４】
図示のように、本発明の実施形態によって、まず時間調節モジュール１３０は、複数の映像単位グループを表示する前に表示される開始コンテンツが存在するかを判断する（Ｓ３１１）。本発明の実施形態では開始コンテンツとして動画が使用される場合を例として説明しているが、これに限定されず、写真など多様な形態のコンテンツが使用できる。
【００４５】
判断の結果、開始コンテンツが存在する場合、時間調節モジュール１３０は、開始コンテンツの開始時間及び持続時間を調節する（Ｓ３１２）。
【００４６】
以後、時間調節モジュール１３０は、複数の映像単位グループの開始時間及び持続時間、各映像単位グループに含まれるコンテンツの開始時間及び持続時間、各映像単位グループ間の切り替え時間、各コンテンツ間の切り替え時間などを調節する（Ｓ３１３）。
【００４７】
そして、複数の映像単位グループ及び各映像単位グループに含まれるコンテンツの時間調節が完了すれば、時間調節モジュール１３０は終了コンテンツが存在するかを判断する（Ｓ３１４）。このとき、本発明の実施形態において、終了コンテンツも前述した開始コンテンツと同様に動画が使用される場合を例として説明しているが、これに限定されず、写真など多様な形態のコンテンツが使用できる。
【００４８】
判断の結果、終了コンテンツが存在する場合、時間調節モジュール１３０は終了コンテンツの開始時間と持続時間を調節するようになる（Ｓ３１５）。
【００４９】
したがって、背景音楽の長さによって、複数のコンテンツ及び各映像単位グループに含まれるコンテンツの開始時間及び持続時間を調節するため、背景音楽の長さが変更される場合もそれによって自動的に開始時間及び持続時間を調節し、別の時間同期化過程を経ずに背景音楽に対応して複数の映像単位グループ及び各映像単位グループに含まれるコンテンツを表現することができる。
【００５０】
前記「モジュール」は、ソフトウェアまたはＦｉｅｌｄ  Ｐｒｏｇｒａｍｍａｂｌｅ  Ｇａｔｅ  Ａｒｒａｙ（ＦＰＧＡ）または注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）のようなハードウェア構成要素を意味し、モジュールはある役割を行う。しかし、モジュールは、ソフトウェアまたはハードウェアに限定されるという意味ではない。モジュールはアドレシングできる格納媒体にあるように構成することができ、１つまたはそれ以上のプロセッサを実行させるようにも構成することができる。したがって、一例としてモジュールは、ソフトウェア構成要素、オブジェクト指向ソフトウェア構成要素、クラス構成要素及びタスク構成要素などのような構成要素と、プロセス、関数、属性、プロシージャ、サブルーチン、プログラムコードのセグメント、ドライバ、ファームウェア、マイクロコード、回路、データ、データベース、データ構造、テーブル、アレイ、及び変数を含む。構成要素とモジュールで提供される機能は、さらに小さい数の構成要素及びモジュールで結合されたり、追加の構成要素とモジュールとにさらに分離することができる。
【００５１】
以上のように、本発明によるコンテンツを動的に表現する装置及び方法を例示した図を参照して説明したが、本明細書に開示された実施形態と図によって本発明は限定されず、その発明の技術思想の範囲内で当業者により多様な変形が可能であることは言うまでもない。
【図面の簡単な説明】
【００５２】
【図１】本発明の実施形態によるコンテンツを動的に表現する装置を示す図である。
【図２】本発明の実施形態によるコンテンツを動的に表現する方法を示す図である。
【図３】本発明の実施形態による背景音楽を分類する方法を示す図である。
【図４】本発明の実施形態による映像単位グループ調節方法を示す図である。
【図５】本発明の実施形態による時間調節方法を示す図である。
【符号の説明】
【００５３】
１１０  背景音楽分析モジュール
１２０  映像単位グループ調節モジュール
１３０  時間調節モジュール
１４０  制御モジュール
【図１】
0004607086.tif 000002
【図２】
0004607086.tif 000003
【図３】
0004607086.tif 000004
【図４】
0004607086.tif 000005
【図５】
0004607086.tif 000006